(57)【特許請求の範囲】
【請求項１】
表示板を取り付けるための枠体と、前記枠体の左右側からそれぞれ下方に延出される２本の主脚部と、前記それぞれの主脚部から後方側下方に延出されるそれぞれの補助脚部と、を備えた枠体部材を支持するための枠体支持ブロックであって、
前記主脚部及び前記補助脚部を支持するため、前記主脚部を垂直に挿入可能な垂直穴部と、前記補助脚部の傾斜に合わせて傾斜した状態で補助脚部を挿入可能な傾斜穴部と、を上面に備えたことを特徴とする枠体支持ブロック。
【請求項２】
前記枠体支持ブロックは、一対で形成されてなり、
左右一対の前記主脚部及び前記補助脚部のいずれか一方を支持するため、垂直に前記主脚部を挿入可能な垂直穴部と、前記補助脚部の傾斜に合わせて傾斜した状態で補助脚部を挿入可能な傾斜穴部と、を上面に備えたことを特徴とする請求項１に記載の枠体支持ブロック。
【請求項３】
請求項１又は２に記載の枠体支持ブロックにおいて、
前記枠体の少なくとも一部を固定するための固定手段をさらに備えていることを特徴とする枠体支持ブロック。
【請求項４】
前記固定手段は、前記枠体に水平に形成された水平枠部と前記上面とを架設する架設部材を備えていることを特徴とする請求項３に記載の枠体支持ブロック。
【請求項５】
前記水平枠部より下方であって、かつ前記枠体支持ブロック上面より２０ｃｍ上方より以下の範囲に、左右の前記主脚部間に形成された主脚部水平枠部及び前記補助脚部間に形成された補助脚部水平枠部を備え、
前記主脚部水平枠部と補助脚部水平枠部とを固定する第２固定手段を有することを特徴とする請求項４に記載の枠体支持ブロック。
【請求項６】
前記第２固定手段は、前記主脚部水平枠部と前記上面、及び前記補助脚部水平枠部と前記上面とをそれぞれ架設する架設部材を備えていることを特徴とする請求項５に記載の枠体支持ブロック。
【請求項７】
前記第２固定手段は、左右端部において前記主脚部水平枠部及び前記補助脚部水平枠部のそれぞれの上面を支持し、略中央において前記枠体支持ブロックと固定される屈曲された棒状又は平板状部材であることを特徴とする請求項５又は６に記載の枠体支持ブロック。
【請求項８】
前記棒状又は平板状部材は、さらに左右端部で前記主脚部水平枠部の前面側側面及び補助脚部水平枠部の後方側側面を支持するものであることを特徴とする請求項７に記載の枠体支持ブロック。
【請求項９】
一対の前記枠体支持ブロックのそれぞれに取り付けられる前記棒状又は平板状部材が連結されていることを特徴とする請求項７又は８に記載の枠体支持ブロック。
【請求項１０】
左右に配置された際に、外側に配置される側面又は側面近傍から上方に延設される外側延設壁部を有することを特徴とする請求項２から９のいずれか１項に記載の枠体支持ブロック。
【請求項１１】
前記外側延設壁部は、外側の前記垂直穴部の側壁と外側の前記傾斜穴部の側壁とが同一平面に形成されてなることを特徴とする請求項１０に記載の枠体支持ブロック。
【請求項１２】
左右に配置された際に、内側に配置される側面又は側面近傍から上方に延設される内側延設壁部を備えたことを特徴とする請求項２から１１のいずれか１項に記載の枠体支持ブロック。
【請求項１３】
底面には、上下に重ねた場合には、外側延設壁部又は内側延設壁部に相当する位置に凹部を備えたことを特徴とする請求項１０から請求項１２のいずれか１項に記載の枠体支持ブロック。
【請求項１４】
請求項１から１３のいずれか１項に記載の枠体支持ブロックにおいて、
前記枠体に表示板を備えたことを特徴とする表示用看板。
【発明の詳細な説明】
【技術分野】
【０００１】
本発明は、枠体支持ブロックに関する。
【背景技術】
【０００２】
工事用立看板・柵・標識類を固定するものとして、コンクリートまたは、合成樹脂あるいは、鋳物で成形した重石本体には標識類の差込穴を設け、更に下部においては引掛金具を設けてなるものがある（特許文献１）。この重石本体は、立看板と柵には、それぞれの開いた脚の部分に重石本体の下部に設けた引掛金具を引掛けてセットすれば倒れないように設置できるというものである。
【０００３】
しかし、この重石本体は、立看板等を設置した後に、立看板の脚の間に重量物である重石本体を設置しなければならないため、その作業は大変困難なものとなっていた。また、重石本体を載置するだけでは、地面の凹凸や傾斜によって安定しないため立看板がぐらつく可能性があり、また、重石本体と立看板が固定されているわけではないので、風によって倒れたり、人や物にぶつかって倒れてしまったりした際に、看板が外れてしまうという課題があった。
【先行技術文献】
【特許文献】
【０００４】
【特許文献１】特開２００３−２７４３６号公報
【発明の概要】
【発明が解決しようとする課題】
【０００５】
そこで、本発明は、こうした課題を鑑みてなされたものであり、看板を表示するための枠体の脚部を挿入するのみで、枠体を立設可能なブロックを提供することを主目的とし、また、枠体とブロックを確実に固定することができる枠体支持ブロックを提供することをも目的とする。
【課題を解決するための手段】
【０００６】
本発明は、上述の主目的を達成するために、以下の手段を採った。
【０００７】
本発明にかかる枠体支持ブロックは、表示板を取り付けるための枠体と、前記枠体の左右側からそれぞれ下方に延出される２本の主脚部と、前記それぞれの脚部から後方側下方に延出されるそれぞれの補助脚部と、を備えた枠体部材を支持するための枠体支持ブロックであって、
前記主脚部及び前記補助脚部を支持するため、垂直に前記主脚部を挿入可能な垂直穴部と、前記補助脚部の傾斜に合わせて傾斜した状態で挿入可能な傾斜穴部と、を上面に備えたことを特徴とする。
【０００８】
かかる枠体支持ブロックによれば、枠体は２本の垂直な主脚部とこの主脚部から延出される２本の傾斜された補助脚部との合計４本の脚部が、それぞれそのまま上方から挿入可能な垂直穴部および傾斜穴部（以下「穴部」ともいう。）を有するブロックであるので、それぞれ主脚部及び補助脚部が穴部の底面まで確実に挿入されて枠体を枠体支持ブロックに立設させることができる。
【０００９】
また、本発明の枠体支持ブロックにおいて、前記枠体支持ブロックは、左右の一対のブロックで形成されていてもよい。すなわち、表示板を取り付けるための枠体と、前記枠体の左右側からそれぞれ下方に延出される２本の主脚部と、前記それぞれの脚部から後方側下方に延出されるそれぞれの補助脚部と、を備えた枠体部材を支持するための一対で形成される枠体支持ブロックであって、
左右一対の前記主脚部及び前記補助脚部のいずれか一方を支持するため、垂直に前記主脚部を挿入可能な垂直穴部と、前記補助脚部の傾斜に合わせて傾斜した状態で挿入可能な傾斜穴部と、を上面に備えたことを特徴とするものであってもよい。
【００１０】
かかる枠体支持ブロックによれば、枠体は２本の垂直な主脚部とこの主脚部から延出される２本の傾斜された補助脚部との合計４本の脚部が、それぞれそのまま上方から挿入可能な穴部を有するブロックであるので、それぞれ主脚部及び補助脚部が穴部の底面まで確実に挿入されて枠体を枠体支持ブロックに立設させることができる。また、枠体支持ブロックは、左右のブロックがそれぞれ形成されているので、左右の枠体支持ブロックの位置を調整することで、様々な幅を有する枠体を立設させることができる。また、枠体支持ブロックに対して枠体を常に同じ方向へ向くように設置することができる。
【００１１】
さらに、本発明の枠体支持ブロックにおいて、前記枠体の少なくとも一部を固定するための固定手段をさらに備えていてもよい。かかる構成を採用することによって、枠体と枠体支持ブロックとが互いに固定されるため、枠体の主脚部及び補助脚部が枠体支持ブロックの垂直穴部及び傾斜穴部から外れることを防止することができる。
【００１２】
さらに、本発明の枠体支持ブロックにおいて、前記固定手段は、枠体に水平に形成された水平枠部と前記上面とを架設する架設部材を備えていてもよい。架設部材によって、水平枠部と枠体支持ブロックの上面とを架設することで、枠体が枠体支持ブロックから外れる可能性を低減するとともに、枠体がブロックに対して前後左右に移動することも極力抑えることができる。また、表示部材を取り付ける際にも水平枠部をそのまま利用することで、表示部材を容易に枠体に固定することができる。
【００１３】
さらに、本発明の枠体支持ブロックにおいて、前記水平枠部より下方であって、かつブロック上面より２０ｃｍ以下の範囲に、左右の前記主脚部間に形成された主脚部水平枠部及び前記補助脚部間に形成された補助脚部水平枠部を備え、前記主脚部水平枠部と補助脚部水平枠部とを固定する第２固定手段を有するものであってもよい。表示板が取り付けられる水平枠部より下方に設けられた主脚部水平枠部及び補助局部水平枠部を第２固定手段で固定することで、枠体支持ブロックにより近い位置で固定することができる。そのため、枠体の下方をより枠体支持ブロックに確実に固定することができる。また、前後に形成された主脚部水平枠部及び補助局部水平枠部と固定することで、枠体が前後方向へ可動する可能性を低減することができる。
【００１４】
さらに、本発明の枠体支持ブロックにおいて前記第２固定手段は、前記主脚部水平枠部と前記上面、及び前記補助脚部水平枠部と前記上面とをそれぞれ架設する架設部材であってもよい。かかる構成を採用することによって、枠体と枠体支持ブロックとが互いに固定されるため、枠体の主脚部及び補助脚部が枠体支持ブロックの垂直穴部及び傾斜穴部から外れることを防止することができる。
【００１５】
さらに、本発明の枠体支持ブロックにおいて、前記第２固定手段は、左右端部において前記主脚部水平枠部及び前記補助脚部水平枠部のそれぞれの上面を支持し、略中央においてブロックと固定される屈曲された棒状又は平板状部材であってもよい。かかる構成を採用することによって、枠体を穴部に挿入した後、枠体の上方から棒状又は平板状部材を主脚部水平枠部及び補助脚部水平枠部を押さえつけるようにして、主脚部水平枠部及び補助脚部水平枠部に載置し、一部をブロックと固定すれば枠体を枠体支持ブロックに固定することができる。こうすることにより、容易かつ迅速に固定でき、労力を軽減することができる。
【００１６】
さらに、本発明の枠体支持ブロックにおいて、前記棒状又は平板状部材は、さらに左右端部で主脚部水平枠部の前面側側面及び補助脚部水平枠部の後方側側面を支持するものであってもよい。かかる構成を採用することによって、主脚部水平枠部及び補助脚部水平枠部が前後に移動することを防止することができ、結果として、それぞれの脚部を固定することができる。そのため主脚部水平枠部及び補助脚部水平枠部が垂直穴部及び傾斜穴部から抜ける可能性を低減することができる。
【００１７】
さらに、一対の枠体支持ブロックのそれぞれに取り付けられる前記棒状又は平板状部材が連結されていてもよい。かかる構成を採用することによって、左右の枠体支持ブロックの載置位置を相対的に固定することができるため、不用意に左右の枠体支持ブロックがずれる可能性を低減することができる。また、表示用看板全体を移動する際にも左右の枠体ブロックが固定されるため、移動させやすくすることができる。
【００１８】
さらに、本発明の枠体支持ブロックにおいて、左右に配置された際に、外側に配置される側面又は側面近傍から上方に延設される外側延設壁部を有していてもよい。かかる構成を採用することによって、枠体支持ブロックを移動する際に、外側延設壁部を把持して移動することができる。そのため、短い移動距離や長い移動距離を問わず容易に移動することができる。
【００１９】
さらに、本発明の枠体支持ブロックにおいて、外側延設壁部は、左右に配置された際に、最も外側の前記垂直穴部の側壁と最も外側の前記傾斜穴部の側壁とが同一平面に形成されていてもよい。かかる構成を採用することによって、外側延設壁部に沿って脚部を押し込んで行けば垂直穴部及び傾斜穴部に主脚部水平枠部及び補助脚部水平枠部を挿入することができるため、垂直穴部及び傾斜穴部の開口周囲の平面に引っ掛かって入れづらいという状況を回避することができる。
【００２０】
さらに、本発明の枠体支持ブロックにおいて、左右に配置された際に、内側に配置される側面又は側面近傍から上方に延設される内側延設壁部を備えていてもよい。かかる構成を採用することによって、外側延設壁部に加えて、内側延設壁部を把持することによって、容易に移動することができる。また、外側と内側の両側に延設壁部を有することで、枠体支持ブロックを同じ方向に重ねた際に、上側に配置される枠体支持ブロックは、水平が保たれるため、重ねやすくすることができる。
【００２１】
さらに、本発明の枠体支持ブロックにおいて、底面には、上下に重ねた場合には、外側延設壁部又は内側延設壁部に相当する位置に凹部を備えたものであってもよい。外側延設壁部又は内側延設壁部に相当する位置に凹部を設けることによって、枠体支持ブロックを上下に重ねた際に、外側延設壁部又は内側延設壁部が凹部に配置されることになる。そのため、重ねた枠体支持ブロックがずれる可能性を低減させることができる。
【００２２】
また、本発明の表示用看板は、上述の枠体支持ブロックに、表示板を備えたものである。かかる構成を採用することによって、上述した効果をそれぞれ有する表示用看板を提供することができる。
【発明の効果】
【００２３】
本発明に係る枠体支持ブロックによれば、枠体をブロックの穴部に差し込むことで、枠体を固定することができる。
【図面の簡単な説明】
【００２４】
【図１】図１は、本発明の第１実施形態にかかる表示用看板１００の構成の概略を示す斜視図である。
【図２】図２は、本発明の第１実施形態にかかる枠体１０及び枠体支持ブロック２０の断面図である。
【図３】図３は、本発明の第１実施形態にかかるワイヤ部材５０の概略を示す概略図である。
【図４】図４は、本発明の第２実施形態にかかる表示用看板１００の構成の概略を示す斜視図である。
【図５】図５は、本発明の第２実施形態にかかる右側枠体支持ブロック２０ｂの透過斜視図である。
【図６】図６は、本発明の第２実施形態にかかる表示用看板１００の別実施形態の構成の概略を示す斜視図である。
【図７】図７は、本発明の第２実施形態にかかる枠体支持ブロック２０の別実施形態の構成の概略を示す斜視図である。
【図８】図８は、本発明の第２実施形態にかかる架設部材の別実施形態の構成の概略を示す斜視図である。
【図９】図９は、本発明の第３実施形態にかかる表示用看板１００の構成の概略を示す斜視図である。
【図１０】図１０は、本発明の第３実施形態にかかる表示用看板１００の別実施形態の構成の概略を示す斜視図である。
【図１１】図１１は、本発明の第１実施形態から第３実施形態の架設部材の別実施形態を示す概略図である。
【図１２】図１２は、本発明の第４実施形態にかかる表示用看板１００を示すものであり、図１２Ａは、斜視図を、図１２Ｂは一部断面図を示す。
【図１３】図１３は、第４実施形態のバリエーションを示す一部断面図である。
【図１４】図１４は、第５実施形態の枠体支持ブロック２０の下方部を示す部分斜視図である。
【発明を実施するための形態】
【００２５】
以下、本発明を実施するための形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一又は類似の符号が付されている。なお、以下の実施形態においては、「固定手段」は、ワイヤ部材５０及び輪付ボルト５１を例として使用し、「架設部材」としてワイヤ部材５０を、「第２固定手段」としてワイヤ部材５０と輪付ボルト５１又は固定用板部材５５と輪付ボルト５１を、「屈曲された棒状又は平板状部材」として固定用板部材５５を、それぞれ例として使用して説明する。
【００２６】
（第１実施形態）
第１実施形態にかかる表示用看板１００は、図１に示したように、主として、枠体１０と、この枠体１０を支持する枠体支持ブロック２０及び枠体１０と枠体支持ブロック２０との互いの相対位置が変更されるのを防止するワイヤ部材５０と、枠体１０に固定される表示板４０と、を備えている。
【００２７】
枠体１０は、表示板４０を取り付けるために略水平に設けられた水平枠部１１と、この水平枠部１１の左右両側を支持し鉛直に立設された２つの主脚部１２と、この左右の主脚部１２の中腹からそれぞれ後方側に斜めに立設された補助脚部１３と、を備えている。
【００２８】
枠体支持ブロック２０は、コンクリートによって略直方体に形成されてなる。枠体支持ブロック２０の上面の略右側近傍及び略左側近傍には、前方側に主脚部１２を垂直に挿入可能な垂直穴部２１と、後方側に斜めに立設された補助脚部１３を斜めに挿入可能な傾斜穴部２２を備えている（図２参照）。垂直穴部２１は、穴の底面から開口側に向かって穴の直径が大きくなるようにテーパーを有する垂直な穴に形成されている。傾斜穴部２２は、補助脚部１３の傾斜角度に適合するように、前側の穴壁面２２ａが補助脚部１３の角度とほぼ同様の角度に形成されている。この傾斜穴部２２も垂直穴部２１と同様に、穴部底面から開口側に向かって穴の直径が大きくなるようにテーパーを有する穴に形成されている。垂直穴部２１と傾斜穴部２２の横幅は、主脚部１２及び補助脚部１３の幅より広く形成されており、左右の垂直穴部２１間又は左右の傾斜穴部２２間の距離と左右の主脚部１２間又は左右の補助脚部１３間の距離との多少の幅のズレは解消可能に形成されている。垂直穴部２１及び傾斜穴部２２の底面には、枠体支持ブロック２０の底面まで貫通した水抜き孔２７が設けられており、雨等によって垂直穴部２１及び傾斜穴部２２に侵入した水を底面側に排出することができる。
【００２９】
枠体支持ブロック２０の左右側面及び背面は、上方に延設された外側延設壁部２３を有している。この外側延設壁部２３を設けることで、枠体支持ブロック２０を載置した後に外側延設壁部２３を把持して、枠体支持ブロック２０を移動し易くすることができる。この外側延設壁部２３は、図２に示すように、垂直穴部２１及び傾斜穴部２２の側壁のうち外側に配置される壁面、すなわち、それぞれ垂直穴部２１の左側壁面２１ａ及び傾斜穴部の左側壁面２２ｂと同一平面をなしている。そのため、枠体１０の主脚部１２及び補助脚部１３をそれぞれ垂直穴部２１及び傾斜穴部２２に挿入する際に、外側延設壁部２３に沿わせて下ろすことで前後方向のみを位置調整すれば容易に挿入することができる。
【００３０】
また、枠体支持ブロック２０の前面及び背面の下方には、手掛用凹部２５が形成されており、この手掛用凹部２５の上面に手を掛けて運ぶことによって、容易に枠体支持ブロック２０を運ぶことができる。
【００３１】
さらに、枠体支持ブロック２０の上面には、枠体１０の水平枠部１１と枠体支持ブロック２０ｂとが互いに外れることを防止するワイヤ部材５０（図１参照）を固定するため輪付ボルト５１が取り付けられている。
【００３２】
ワイヤ部材５０は、図３に示すように、ワイヤ５２の一方端部に前述した輪付ボルト５１に引っかけることができるＵ字環５３を備え、他方端部に水平枠部１１に引っかけることができるコの字型のフック５４が設けられている。
【００３３】
表示板４０は、図１に示すように正面に、文字、記号又は模様等によって表示情報を有する板状の部材である。本第１実施形態においては、工事中の情報を伝達する文字及び模様が付されている。
【００３４】
以上のように構成された各構成部品は、以下のようにして道路等に設置されて表示用看板１００として使用される。まず、枠体支持ブロック２０を表示用看板１００の設置を所望する場所に設置する。設置した後に、微妙な位置調整が必要な場合は、外側延設壁部２３を把持して移動することによって容易に位置を調整することができる。その後、枠体１０の主脚部１２及び補助脚部１３を外側延設壁部２３に沿わせながら、それぞれ垂直穴部２１及び傾斜穴部２２に挿入する。
【００３５】
この状態で枠体１０は、図１に示すように、枠体支持ブロック２０に立設される。さらに、枠体支持ブロック２０と枠体１０とを固定するために、輪付ボルト５１の輪にワイヤ部材５０のＵ字環５３を取り付け、水平枠部１１にフック５４を引っかけてワイヤで固定する。こうして、人間が枠体１０に衝突した際や、強風が吹いた場合であっても枠体１０が両側の枠体支持ブロック２０から外れることを防止することができる。
【００３６】
その後、表示情報が表示された表示板４０を任意の方法で枠体に取り付けて表示用看板１００とされる。
【００３７】
（第２実施形態）
図４は、本発明の第２実施形態にかかる枠体支持ブロック２０を使用した表示用看板１００の構成の概略を示す斜視図である。なお、右側枠体支持ブロック２０ｂの断面図は、図２と同様に表れるので、図２で代用する。
【００３８】
第２実施形態にかかる表示用看板１００は、図４に示したように、主として、枠体１０と、この枠体１０を支持する左右一対の枠体支持ブロック２０及び枠体１０と枠体支持ブロック２０とを互いの相対位置が変更されるのを防止するワイヤ部材５０と、枠体１０に固定される表示板４０と、を備えている。
【００３９】
枠体１０は、表示板４０を取り付けるために略水平に設けられた水平枠部１１と、この水平枠部１１の左右両側を支持し鉛直に立設された２つの主脚部１２と、この左右の主脚部１２の中腹からそれぞれ後方側に斜めに立設された補助脚部１３と、を備えている。
【００４０】
枠体支持ブロック２０は、表示板４０の正面側から見て左側に配置される左側枠体支持ブロック２０ａと、右側に配置される右側枠体支持ブロック２０ｂとを備えている。左側枠体支持ブロック２０ａと右側枠体支持ブロック２０ｂとは、それぞれ対称に形成されている点が異なるのみでその他の点は同様であるので、便宜上、右側枠体支持ブロック２０ｂについて以下に説明し、左側枠体支持ブロック２０ａの説明はこれに代える。
【００４１】
右側枠体支持ブロック２０ｂは、コンクリートによって略直方体に形成されてなる。右側枠体支持ブロック２０ｂの上面の略右側近傍には、図４に示すように、前方側に主脚部１２を垂直に挿入可能な垂直穴部２１と、後方側に斜めに立設された補助脚部１３を斜めに挿入可能な傾斜穴部２２を備えている。垂直穴部２１は、穴の底面から開口側に向かって穴の直径が大きくなるようにテーパーを有する垂直な穴に形成されている。傾斜穴部２２は、補助脚部１３の傾斜角度に適合するように、前側の穴壁面２２ａが補助脚部１３の角度とほぼ同様の角度に形成されている。この傾斜穴部２２も垂直穴部２１と同様に穴部底面から開口側に向かって穴の直径が大きくなるようにテーパーを有する穴に形成されている。垂直穴部２１と傾斜穴部２２の横幅は、主脚部１２及び補助脚部１３の幅より広く形成されており、左右に配置された枠体支持ブロック２０の多少の幅のズレは解消可能に形成されている。垂直穴部２１及び傾斜穴部２２の底面には、右側枠体支持ブロック２０ｂの底面まで貫通した水抜き孔２７が設けられており、雨等によって垂直穴部２１及び傾斜穴部２２に侵入した水を底面側に排出することができる。
【００４２】
右側枠体支持ブロック２０ｂの外側を形成する側面及び背面、すなわち右側側面及び背面には、図４に示すように、上方に延設された外側延設壁部２３を有している。この外側延設壁部２３を設けることで、右側枠体支持ブロック２０ｂを載置した後に外側延設壁部２３を把持して、右側枠体支持ブロック２０ｂを移動し易くすることができ、右側枠体支持ブロック２０ｂの位置を微調整する際に有効である。この外側延設壁部２３は、図５に示すように、垂直穴部２１及び傾斜穴部２２の側壁のうち外側に配置される壁面、すなわち、それぞれ垂直穴部２１の左側壁面２１ａ及び傾斜穴部の左側壁面２２ｂと同一平面をなしている。そのため、枠体１０の主脚部１２及び補助脚部１３をそれぞれ垂直穴部２１及び傾斜穴部２２に挿入する際に、外側延設壁部２３に沿わせて下ろすことで前後方向のみを位置調整すれば容易に挿入することができる。
【００４３】
また、右側枠体支持ブロック２０ｂの前面及び背面の下方には、手掛用凹部２５が形成されており、この手掛用凹部２５の上面に手を掛けて運ぶことによって、容易に右側枠体支持ブロック２０ｂを運ぶことができる。
【００４４】
さらに、右側枠体支持ブロック２０ｂの上面には、枠体１０の水平枠部１１と右側枠体支持ブロック２０ｂとが互いに外れることを防止するワイヤ部材５０（図４参照）を固定するため輪付ボルト５１が取り付けられている。
【００４５】
ワイヤ部材５０は、第１実施形態と同様に、図３に示すように、ワイヤ５２の一方端部に前述した輪付ボルト５１に引っかけることができるＵ字環５３を備え、他方端部に水平枠部１１に引っかけることができるコの字型のフック５４が設けられている。
【００４６】
表示板４０は、正面に、文字、記号又は模様等によって表示情報を有する板状の部材である。本第２実施形態においては、工事中の情報を伝達する文字及び模様が付されている。
【００４７】
以上のように構成された各構成部品は、以下のようにして道路等に設置されて表示用看板１００として使用される。まず、左側枠体支持ブロック２０ａ及び右側枠体支持ブロック２０ｂを表示用看板１００の設置を所望する場所に、左右の枠体支持ブロック２０の垂直穴部２１及び傾斜穴部２２が枠体１０の左右の主脚部１２の幅とほぼ同様の幅に配置されるように設置する。設置した後に、微妙な位置調整が必要な場合は、外側延設壁部２３を把持して移動することによって容易に位置を調整することができる。その後、枠体１０の主脚部１２及び補助脚部１３を外側延設壁部２３に沿わせながら、それぞれ垂直穴部２１及び傾斜穴部２２に挿入する。
【００４８】
この状態で枠体１０は、両側の枠体支持ブロック２０に立設される。さらに、枠体支持ブロック２０と枠体１０とを固定するために、輪付ボルト５１の輪にワイヤ部材５０のＵ字環５３を取り付け、水平枠部１１にフック５４を引っかけてワイヤで固定する。こうして、人間が枠体１０に衝突した際や、強風が吹いた場合であっても枠体１０が両側の枠体支持ブロック２０から外れることを防止することができる。
【００４９】
その後、表示情報が表示された表示板４０を任意の方法で枠体に取り付けて表示用看板１００とされる。
【００５０】
上述した第２実施形態においては、外側延設壁部２３が外側を形成する側面及び背面に設けられていたが、図６に示すように、内側側面に内側延設壁部２４を設けられてもよい。かかる構成を採用することによって、内側延設壁部２４を把持して枠体支持ブロック２０を移動することも可能となる。また、内側延設壁部２４を有する枠体支持ブロック２０を採用することで、図７に示すように、枠体支持ブロック２０を同じ方向に重ねやすくすることができる。そのため、省スペースで多くの枠体支持ブロック２０を運搬することができる。さらに、内側延設壁部２４及び外側延設壁部２３に相当する位置に凹部２６を設けるとよい。かかる構成を採用することによって、枠体支持ブロック２０の底面に枠体支持ブロック２０を重ねた際に、この凹部２６内に内側延設壁部２４及び外側延設壁部２３が嵌合することによって、上下の枠体支持ブロック２０が横にずれづらくすることができ、不意に枠体支持ブロック２０がずれて落下する危険性を低減することができる。
【００５１】
また、上述した第２実施形態においては、架設部材として、２つの輪付きボルト５１と２つのフック５４それぞれにワイヤ部材５０を架設するものとしたが、図８に示すようにワイヤ部材５０は、共通するフック５４に架設してもよい。
【００５２】
（第３実施形態）
第３実施形態にかかる表示用看板１００が図９に示されている。図９は、第３実施形態にかかる表示用看板１００の斜視図である（但し、表示板は省略されている）。
【００５３】
第３実施形態にかかる表示用看板１００は、第２実施形態に対して以下の点が異なる。まず、第１実施形態の枠体１０に対して、枠体１０の水平枠部１１より下方であって、枠体１０を枠体支持ブロック２０に固定された際に、枠体支持ブロック２０の上面の上方２０ｃｍ以下に位置するように左右の主脚部１２間を架設するように水平に形成された主脚部水平枠部１４及び左右の補助脚部１３間を架設する補助脚部水平枠部１５と、を備えている。枠体支持ブロック２０及び表示板４０は、第２実施形態と同様であるため、省略する。
【００５４】
このようにして作製された枠体１０は、第２実施形態と同様に、枠体支持ブロック２０に主脚部１２及び補助脚部１３を外側延設壁部２３に沿わせながら、それぞれ垂直穴部２１及び傾斜穴部２２に挿入して使用される。第２実施形態と比較してワイヤ５２の長さが短く形成されたワイヤ部材５０によって、輪付ボルト５１と主脚部水平枠部１４及び左右の補助脚部水平枠部１５をそれぞれ架設してそれぞれを固定する。これにより、枠体１０が両側の枠体支持ブロック２０から外れることを防止することができる。
【００５５】
上述した第３実施形態においては、１つの輪付ボルト５１からそれぞれ主脚部水平枠部１４及び補助脚部水平枠部１５にワイヤ部材５０を架設したが、これに限定するものではなく、図１０に示すように、輪付ボルト５１をそれぞれの枠体支持ブロック２０の主脚部水平枠部１４及び補助脚部水平枠部１５の下方に配置して、それぞれワイヤ部材５０で固定しても良い。
【００５６】
なお、上述した第１実施形態から第３実施形態においては、架設部材として、ワイヤ部材５０を用いて水平枠部１１、主脚部水平枠部１４又は補助脚部水平枠部１５を固定するものとしたが、これに限定するものではなく、図１１に示したように、ターンバックル５６を有する鎖状部材５７でもよいし、ロープ等であってもよい。ターンバックル５６を有する鎖状部材５７を採用すれば、水平枠部、主脚部水平枠部１４及び補助脚部水平枠部１５と輪付きボルトとを架設した後に、鎖の梁状態を調整することができる。
【００５７】
（第４実施形態）
第４実施形態にかかる表示用看板１００が図１２に示されている。１２Ａは、第４実施形態にかかる表示用看板１００の斜視図であり（但し、表示板は省略されている）、図１２Ｂは、第４実施形態にかかる表示用看板１００の一部断面図である。
【００５８】
第４実施形態にかかる表示用看板１００は、第３実施形態に対してワイヤ部材５０の代わりに屈曲された金属製の固定用板部材５５を使用している点が異なる。この固定用板部材５５は、略中央に貫通孔が形成されており、輪付ボルト５１を上から嵌めることによって枠体支持ブロック２０に固定可能に形成されている。両端部は、それぞれ主脚部水平枠部１４及び補助脚部水平枠部１５を上面側から下方へ押圧することで枠体１０を下方へ押さえつけるように固定することができる。
【００５９】
なお、上述した第４実施形態においては、主脚部水平枠部１４及び補助脚部水平枠部１５上面を押圧する固定用板部材５５を使用したが、これに限定されるものではなく、図１３Ａに示すように、主脚部水平枠部１４及び補助脚部水平枠部１５の上面に加え、内側側面を支持するものでもよい。この固定用板部材５５を採用することによって、主脚部１２及び補助脚部１３の間隔が狭まる方向へ移動することを防止することができる。また、図１３Ｂに示すように、枠体支持ブロック２０の上面全体を這わせるようにして、主脚部水平枠部１４及び補助脚部水平枠部１５の上面及び内側側面を支持するものであってもよい。かかる構成を採用することによって、固定用板部材５５が空中に浮いて見えないため美感性に優れたものとすることができる。さらに、図１３Ｃに示すように主脚部水平枠部１４及び補助脚部水平枠部１５の上面に加え、外側側面を支持するものであってもよい。かかる構成を採用することによって、主脚部１２及び補助脚部１３の間隔広がることを防止することができる。さらに、図１３Ｄに示すように、主脚部水平枠部１４及び補助脚部水平枠部１５の上面に加え、外側側面及び底面を支持するものであってもよい。かかる構成を採用することによって、いずれの方向へも主脚部１２及び補助脚部１３が移動することを防止することができる。
【００６０】
（第５実施形態）
第５実施形態にかかる表示用看板１００が図１４に示されている。図１４は、第５実施形態にかかる表示用看板１００の下方部のみを示す斜視図である。
【００６１】
第５実施形態にかかる表示用看板１００は、第４実施形態に対して、左右の枠体支持ブロック２０の固定用板部材５５が連結されている点が異なる。図１４Ａにおいては、左右の枠体支持ブロック２０の固定用板部材５５の略中央で連結されており、図１４Ｂにおいては、左右の枠体支持ブロック２０の固定用板部材５５の一方端部で連結されており、図１４Ｃでは、左右の枠体支持ブロック２０の固定用板部材５５の両側端部で連結されている。
【００６２】
かかる構成を採用することによって、固定用板部材５５によって、枠体支持ブロック２０と枠体１０を固定するのみでなく、左右の枠体支持ブロック２０の相対距離及び相対位置を固定することもできる。
【産業上の利用可能性】
【００６３】
上述した実施の形態で示すように、表示用看板として産業上利用可能である。
【符号の説明】
【００６４】
１０...枠体、１１...水平枠部、１２...主脚部、１３...補助脚部、１４...主脚部水平枠部、１５...補助脚部水平枠部、２０...枠体支持ブロック、２０ａ...左側枠体支持ブロック、２０ｂ...右側枠体支持ブロック、２１...垂直穴部、２１ａ...左側壁面、２２...傾斜穴部、２２ａ...穴壁面、２２ｂ...左側壁面、２３...外側延設壁部、２４...内側延設壁部、２５...手掛用凹部、２６...凹部、４０...表示板、５０...ワイヤ部材、５１...輪付ボルト、５２...ワイヤ、５３...Ｕ字環、５４...フック、５５...固定用板部材、１００...表示用看板
【図１】
0005468598.tif 000002
【図２】
0005468598.tif 000003
【図３】
0005468598.tif 000004
【図４】
0005468598.tif 000005
【図５】
0005468598.tif 000006
【図６】
0005468598.tif 000007
【図７】
0005468598.tif 000008
【図８】
0005468598.tif 000009
【図９】
0005468598.tif 000010
【図１０】
0005468598.tif 000011
【図１１】
0005468598.tif 000012
【図１２】
0005468598.tif 000013
【図１３】
0005468598.tif 000014
【図１４】
0005468598.tif 000015